(57)【要約】      （修正有）【課題】小振巾差動信号（ＬＶＤＳ）インタフェイスに適用するフレキシブル・フラットケーブル（ＦＦＣ）とそのフレキシブル・フラットケーブルを使用したＬＶＤＳ信号伝送システムを提供する。【解決手段】導電線材層を両面から挟んだＰＥＴ絶縁層を有し、該絶縁層の誘電率は３．２、絶縁厚は６５μm,導体厚は０．０５mm,導体幅は０．８−０．８３であり、１００Ω±５％の特性インピーダンスを具えたフレキシブル・フラットケーブルであって、これをＬＶＤＳ信号伝送システムに用いることによって、システムの構成部品数を減少し、コストを削減することができる。【選択図】  図１
2006032003.tif 000002
【特許請求の範囲】
【請求項１】
ＬＶＤＳインタフェイスに適用するフレキシブル・フラットケーブル（ＦＦＣ）であって、上層のＰＥＴ絶縁層、導電線材層及び下層ＰＥＴ絶縁層を積層して三層積層構造を構成し、該導電線材層は等間隔（ｐ）に平行に配置した複数本の導体を具え、
該フレキシブル・フラットケーブルの特性インピーダンス（Ｚ０）は１００Ω±５％であり、且つ該フレキシブル・フラットケーブルの絶縁層誘電率（Ｅｒ）、ＰＥＴ絶縁層厚さ（ｈ）、導体厚さ（ｔ）、導体幅（ｗ）は、Ｅｒ＝３．２、ｈ＝６５μｍ、ｔ＝０．０５ｍｍ、ｗ＝０．８〜０．８３の条件を満たすようにして成ることを特徴とするＬＶＤＳインタフェイスに適用するフレキシブル・フラットケーブル（ＦＦＣ）。
【請求項２】
該フレキシブル・フラットケーブル（ＦＦＣ）の絶縁層誘電率（Ｅｒ）、ＰＥＴ絶縁層厚さ（ｈ）、導体厚さ（ｔ）、導体幅（ｗ）はＥｒ＝３．２、ｈ＝５０〜６５μｍ、ｔ＝０．０５ｍｍ、ｗ＝０．８ｍｍの条件を満たすようにして成ることを特徴とする請求項１記載のＬＶＤＳインタフェイスに適用するフレキシブル・フラットケーブル（ＦＦＣ）。
【請求項３】
ＬＶＤＳ信号伝送システムは、液晶ディスプレイインタフェイスとシステムマザーボードインタフェイスとの間の高周波信号伝送システムに使用し、小振幅差動信号レシーバ（ＬＶＤＳ）、特性インピーダンス（Ｚ０）１００Ω±５％を具えるフレキシブル・フラットケーブル（ＦＦＣ）、補助フレーム、及びフリップトップ型コネクタから成り、
該小振幅差動信号レシーバは液晶ディスプレイインタフェイスの信号伝送インタフェイスを構成し、
該特性インピーダンス（Ｚ０）１００Ω±５％を具えるフレキシブル・フラットケーブルは、上層ＰＥＴ絶縁層、導電線材層、及び下層ＰＥＴ絶縁層を積層して三層積層構造を構成し、その一端は第一導電部を構成してフリップトップ型コネクタと電気的接続を構成し、別の一端は第二導電部を構成して小振幅差動信号レシーバと電気的接続を構成し、
該補助フレームは、フレキシブル・フラットケーブルを収容するくぼみ空間を具えてフレキシブル・フラットケーブルの第二導電部を含む小エリアの下に固定し、且つフレキシブル・フラットケーブルの第二導電部と補助フレームの前端部は共にＬＶＤＳプラグに類似した構造を構成し、小振幅差動信号レシーバの内部に挿入して電気的接続を構成できるようにし、
該フリップトップ型コネクタはシステムマザーボードインタフェイスの信号伝送インタフェイスを構成し、本体と可動カバーを具え、可動カバーを上向きに回転して開くとフレキシブル・フラットケーブルの第一導電部を該本体の端子を収納しているソケット内に挿入できるようになり、可動カバーを下に向かって位置決めされるまで閉じると、フレキシブル・フラットケーブルの第一導電部は本体のソケット内部に固定され電気的接続を構成するようにして成ることを特徴とするＬＶＤＳ信号伝送システム。
【請求項４】
該フレキシブル・フラットケーブルの絶縁層誘電率（Ｅｒ）、ＰＥＴ絶縁層厚さ（ｈ）、導体厚さ（ｔ）、導体幅（ｗ）はＥｒ＝３．２、ｈ＝６５μｍ、ｔ＝０．０５ｍｍ、ｗ＝０．８〜０．８３ｍｍの条件を満たすようにして成ることを特徴とする請求項３記載のＬＶＤＳ信号伝送システム。
【請求項５】
該フレキシブル・フラットケーブルの絶縁層誘電率（Ｅｒ）、ＰＥＴ絶縁層厚さ（ｈ）、導体厚さ（ｔ）、導体幅（ｗ）はＥｒ＝３．２、ｈ＝５０〜６５μｍ、ｔ＝０．０５ｍｍ、ｗ＝０．８ｍｍの条件を満たすようにして成ることを特徴とする請求項３記載のＬＶＤＳ信号伝送システム。
【請求項６】
フレキシブル・フラットケーブルを収容している補助フレーム上にＥＭＩ防止金属カップリング材を設置し、フレキシブル・フラットケーブルの小振幅差動信号レシーバ（ＬＶＤＳ）と接続する一端にＥＭＩ防止機能を付加するようにして成ることを特徴とする請求項３、請求項４、請求項５記載のＬＶＤＳ信号伝送システム。
【請求項７】
ＥＭＩ防止金属カップリング材は上プレートと下プレートを具え、上プレートと下プレートの相互カップリング構造により一体にカップリングして成ることを特徴とする請求項６記載のＬＶＤＳ信号伝送システム。
【発明の詳細な説明】
【技術分野】
【０００１】
ＬＶＤＳインタフェイスに適用するフレキシブル・フラットケーブル（ＦＦＣ）に関し、特に１００Ω±５％の特性インピーダンス（Ｚ０）を具えたフレキシブル・フラットケーブル（ＦＦＣ）、及びそのフレキシブル・フラットケーブルを使用したＬＶＤＳ信号伝送システムに関する。
【背景技術】
【０００２】
図１及び図２に示すように、液晶ディスプレイとシステムマザーボードとの間の信号通信量は非常に膨大且つ周波数が非常に高いため、現在液晶ディスプレイインタフェイス１０とシステムマザーボードインタフェイス２０との間の高周波信号伝送システムは、超高速（１．４Ｇｂ／ｓ）、低損失、及び低電磁放射特性の小振幅差動信号レシーバ（ＬＶＤＳ、Ｌｏｗ  Ｖｏｌｔａｇｅ  Ｄｉｆｆｅｒｅｎｔｉａｌ  Ｓｉｇｎａｌ）１２を液晶ディスプレイインタフェイス１０の信号伝送インタフェイスとし、信号伝送線（Ｔｒａｎｓｍｉｓｓｉｏｎ  Ｌｉｎｅ）１５の接続を経てシステムマザーボードインタフェイス２０上の信号伝送インタフェイスすなわちシステムマザーボードインタフェイス２０上のコネクタソケット２２と信号接続を構成し、全体で公知のＬＶＤＳ信号伝送システム１１を組成している。
【０００３】
ＡＮＳＩ／ＴＩＡ／ＥＩＡ−６４４−１９９５に定義されるＬＶＤＳインタフェイス規格では、このようなＬＶＤＳ信号伝送システム１１に使用する信号伝送線１５は必ず特性インピーダンス（Ｚ０）が１００Ω±５％の信号伝送線１５を使用して、液晶ディスプレイ１０とシステムマザーボード２０の回路インピーダンス（Ｚ）とに整合できるようにし、それと同時にこのようなＬＶＤＳ信号伝送システム１１はこのような条件を満足して初めて、電磁干渉（ＥＭＩ）とノイズを低減し、正確に液晶ディスプレイインタフェイス（または略称ＬＣＤインタフェイス）１０とシステムマザーボードインタフェイス２０の間の信号伝送を実行することができ、誤動作の発生を避けられるのである。そうでなければ液晶ディスプレイインタフェイス１０とシステムマザーボードインタフェイス２０の間の信号伝送に信号反射とノイズ干渉が発生し、信号損失や歪み、変形がおこってしまう。
【０００４】
この公知ＬＶＤＳ信号伝送システム１１の信号伝送線１５は、現在は特性インピーダンス（Ｚ０）を１００Ω±５％に設計した従来の接続線（Ｗｉｒｅ  Ｃａｂｌｅ）、フレキシブル・プリント回路（ＦＰＣ、Ｆｌｅｘｉｂｌｅ  Ｐｒｉｎｔｅｄ  Ｃｉｒｃｕｉｔ）或いは極細同軸ケーブル（Ｍｉｎｉ  Ｃｏａｘｉａｌ  Ｃａｂｌｅ）などである。しかし構造が簡単で単価コストが比較的低廉な公知のフレキシブル・フラットケーブル（ＦＦＣ、Ｆｌｅｘｉｂｌｅ  Ｆｌａｔ  Ｃａｂｌｅ）は、特性インピーダンス（Ｚ０）
がほぼ１３０Ω前後であるため、ＬＶＤＳ信号伝送システム１１の標準使用規格に適合せず、現時点では公知ＬＶＤＳ信号伝送システム１１への使用には適さない。
【０００５】
このほか、図１及び図２に示すように、公知ＬＶＤＳ信号伝送システム１１に使用している信号伝送線１５は、信号伝送線１５の一端にＬＶＤＳプラグ１４を具えるように設計しなければＬＣＤインタフェイス１０上の小振幅差動信号レシーバ１２と接続を構成できない。更に同一の信号伝送線１５の別の一端にコネクタプラグ（或いはソケット）２４を具えるように設計てシステムマザーボードインタフェイス２０上のコネクタソケット（或いはプラグ）と接続できるようにしなければならない。信号伝送線１５の一端のＬＶＤＳプラグ１４によってＬＣＤインタフェイス１０上の小振幅差動信号レシーバ１２と電気的接続を構成し、また別の一端のコネクタプラグ（２４）でシステムマザーボードインタフェイス２０上のコネクタソケット２２と電気的接続を構成することによって、ＬＣＤインタフェイス１０とシステムマザーボードインタフェイス２０の間に公知ＬＶＤＳ信号伝送システム１１を組成している。
【０００６】
言い換えれば、現在ＬＣＤインタフェイス１０とシステムマザーボードインタフェイス２０との間に使用している公知のＬＶＤＳ信号伝送システム１１は、５つの部品によるＬＶＤＳ信号伝送システム１１であり、小振幅差動信号レシーバ１２、ＬＶＤＳプラグ１４、１００Ωの特性インピーダンスを具えた信号伝送線１５、コネクタプラグ２４、コネクタソケット２２によって組成される。コストの面で、こういった公知のＬＶＤＳ信号でのシステム１１は部品数が多く、更に使用できる信号伝送線１５の種類は単価コストが高いため、コスト削減面で改良の余地がある。
【０００７】
部品数減少とコスト削減の解決方法として、前述の信号伝送線に改良を加えたもののうち、フレキシブル・プリント回路（ＦＰＣ）を改良したものは、フレキシブル・プリント回路（ＦＰＣ）の両端を、直にコネクタプラグやソケットの構造に設計して、フレキシブル・プリント回路（ＦＰＣ）が使用するリレーコネクタプラグやソケットを別途製造しなくて済み、そのままコネクタと接合してコネクタと電気的接続を構成することができ、部品数減少とコスト削減を達成している。
【０００８】
例えば図３に示す一種の公知の可撓性コネクタ３３
【特許文献１】では、両端部付近の位置にそれぞれ絶縁体３５をカップリングして、可撓性コネクタ３３の両側端部にコネクタプラグに類似した構造を形成しているため、この可撓性コネクタ３３に使用するためのリレーコネクタプラグやソケットが不要で、そのまま第一プリント基板３１のコネクタソケット３６と第二プリント基板３１のコネクタソケット３７と組み合わせて使用できるようにして、信号伝送システムを組成する。
【０００９】
このような信号伝送システムはコスト削減を達成できるが、５つの部品で構成する信号伝送システムであることに変わりなく、可撓性コネクタ３３、第一プリント基板３１のコネクタソケット３６、第二プリント基板３１のコネクタソケット３７及び可撓性コネクタ３３の両側にカップリングした二つの絶縁体３５で組成している。そのため部品数減少の面で、このような信号伝送システムはやはり改善の余地がある。
更に、公知の可撓性コネクタの分野では、公知のフレキシブル・フラットケーブル（ＦＦＣ）を公知のＬＶＤＳ信号伝送システム１１中に適用できるといった明示も暗示もされていない。
【００１０】
よって、構造が簡単でコストが低廉な公知のフレキシブル・フラットケーブル（ＦＦＣ）の特性インピーダンス（Ｚ０）を調整し精確に１００Ω前後に制限することができれば、ＬＶＤＳ信号伝送システム１１の標準使用規格を満たして、ＬＶＤＳ信号伝送線の製造コストを大幅に削減できるほか、更に公知のフレキシブル・フラットケーブル（ＦＦＣ）の新用途を開拓・発展させて、公知フレキシブル・フラットケーブル（ＦＦＣ）をＬＶＤＳ信号伝送線の用途に使用して、フレキシブル・フラットケーブル（ＦＦＣ）はＬＶＤＳ信号伝送線には使えないという偏見を突破することができる。また、このようなフレキシブル・フラットケーブルを使用したＬＶＤＳ信号伝送システムに発展させて、ＬＶＤＳ信号伝送システムの部品数減少とコスト削減の目的を達成することができる。
【特許文献１】台湾特許公告第５３３６２９号
【発明の開示】
【発明が解決しようとする課題】
【００１１】
本発明は、特性インピーダンス（Ｚ０）１００Ω±５％を具えたフレキシブル・フラットケーブル（ＦＦＣ）を提供し、ＬＶＤＳ信号伝送線として使用できるようにし、フレキシブル・フラットケーブル（ＦＦＣ）に新たな用途をもたせるほか、ＬＶＤＳ信号伝送線が柔軟・難燃・耐冷熱といった特性を具えるようにすることを主要な目的とする。
本発明は更に、ＬＶＤＳインタフェイスに適用するフレキシブル・フラットケーブル（ＦＦＣ）を提供するほか、そのフレキシブル・フラットケーブルを使用したＬＶＤＳ信号伝送システムを明示し、ＬＶＤＳ信号伝送システムの部品数を減少しコストを削減することを主要な目的とする。
本発明はまた、部品四点式ＬＶＤＳ信号伝送システムを提供し、小振幅差動信号レシーバ、特性インピーダンス（Ｚ０）１００Ω±５％を具えたフレキシブル・フラットケーブル（ＦＦＣ）、補助フレーム、及びフリップトップ型コネクタにより組成し、これによりＬＶＤＳ信号伝送システムの部品数減少とコスト削減を達成することを主要目的とする。
本発明は、部品五点式ＬＶＤＳ信号伝送システムを提供し、小振幅差動信号レシーバ、特性インピーダンス（Ｚ０）１００Ω±５％を具えたフレキシブル・フラットケーブル（ＦＦＣ）、補助フレーム、ＥＭＩ防止金属カップリング部材一セット、及びフリップトップ型コネクタにより組成し、ＬＶＤＳ信号伝送システムにＥＭＩ防止機能を付加することをもう一つの主要目的とする。
【課題を解決するための手段】
【００１２】
フレキシブル・フラットケーブル（ＦＦＣ）の導電線材層の導体幅（ｗ）或いは導体厚さ（ｔ）を調整するか、或いはフレキシブル・フラットケーブルの上層ＰＥＴ絶縁層或いは下層絶縁層の絶縁層厚さ（ｈ）を調整することによって、特性インピーダンス（Ｚ０）１００Ω±５％を具えたフレキシブル・フラットケーブル４０を製造する。１００Ω±５％の特性インピーダンス（Ｚ０）を具えたフレキシブル・フラットケーブル（ＦＦＣ）は、ＬＶＤＳ信号伝送システムに用いて、ＬＶＤＳ信号伝送システムの構成部品数を減少し、コストを削減することができる。
この種のＬＶＤＳ信号伝送システムは、液晶ディスプレイインタフェイスとシステムマザーボードインタフェイスとの間の高周波信号伝送システムに使用し、小振幅差動信号レシーバ（ＬＶＤＳ）、特性インピーダンス（Ｚ０）１００Ω±５％を具えたフレキシブル・フラットケーブル（ＦＦＣ）、補助フレーム、フリップトップ型コネクタにより組成する。
該小振幅差動信号レシーバ（ＬＶＤＳ）は液晶ディスプレイインタフェイスの信号伝送インタフェイスを構成し、該フリップトップ型コネクタはシステムマザーボードインタフェイスの信号伝送インタフェイスを構成する。該特性インピーダンス（Ｚ０）１００Ω±５％を具えたフレキシブル・フラットケーブル（ＦＦＣ）の一端を該補助フレームを使用してＬＶＤＳプラグに類似した構造を構成し、小振幅差動信号レシーバ（ＬＶＤＳ）と電気的接続を構成し、該特性インピーダンス（Ｚ０）１００Ω±５％を具えたフレキシブル・フラットケーブル（ＦＦＣ）の別の一端はフリップトップ型コネクタと電気的接続を構成する。
【発明の効果】
【００１３】
特性インピーダンス（Ｚ０）１００Ω±５％を具えたフレキシブル・フラットケーブル（ＦＦＣ）を得て、ＬＶＤＳ信号伝送線として使用できるようにした。フレキシブル・フラットケーブル（ＦＦＣ）に新たな用途をもたせるほか、ＬＶＤＳ信号伝送線が柔軟・難燃・耐冷熱といった特性を具えるようにした。更に、本発明の部品四点式ＬＶＤＳ信号伝送システムは、小振幅差動信号レシーバ、特性インピーダンス（Ｚ０）１００Ω±５％を具えたフレキシブル・フラットケーブル（ＦＦＣ）、補助フレーム、及びフリップトップ型コネクタにより組成し、これによりＬＶＤＳ信号伝送システムの部品数減少とコスト削減を達成できる。
また本発明の部品五点式ＬＶＤＳ信号伝送システムは、小振幅差動信号レシーバ、特性インピーダンス（Ｚ０）１００Ω±５％を具えたフレキシブル・フラットケーブル（ＦＦＣ）、補助フレーム、ＥＭＩ防止金属カップリング部材一セット、及びフリップトップ型コネクタにより組成し、ＬＶＤＳ信号伝送システムにＥＭＩ防止機能を付加した。
【発明を実施するための最良の形態】
【００１４】
図４及び図６に示すように、本発明が示すＬＶＤＳ信号伝送システム１１は、液晶ディスプレイインタフェイス１０とシステムマザーボードインタフェイス２０の間の高周波信号伝送システムに使用する部品四点式のＬＶＤＳ信号伝送システム１１であり、小振幅差動信号レシーバ１２、特性インピーダンス（Ｚ０）１００Ω±５％を具えたフレキシブル・フラットケーブル４０、フリップトップ型コネクタ及び補助フレーム６０から組成する。
うち、小振幅差動信号レシーバ１２は標準規格のＬＶＤＳとし、液晶ディスプレイインタフェイス１０上に設置して、液晶ディスプレイインタフェイス１０の信号伝送インタフェイスを構成するとともに、特性インピーダンス（Ｚ０）１００Ω±５％を具えたフレキシブル・フラットケーブル４０の第二導電部４５と電気的接続を構成する。
【００１５】
特性インピーダンス（Ｚ０）１００Ω±５％を具えたフレキシブル・フラットケーブル４０は、公知のフレキシブル・フラットケーブル（ＦＦＣ）と同じ構造で、図５に示すように、上層のＰＥＴ絶縁層４１、導電線材層４２、及び下層ＰＥＴ絶縁層４３を積層して構成した三層積層構造である。該導電線材層４２は等間隔（ｐ）に平行に配置した複数本の導体を具え、更に該上層ＰＥＴ絶縁層４１と下層ＰＥＴ絶縁層４３の材質はＰＥＴ膜に特殊飽和ポリエステル樹脂を塗布して製造し、機器によるホットプレスにより導電線材４２を中に包み込んで一体とし、図６に示すフレキシブル・フラットケーブル４０の外観のように製造する。その一端は第一導電部４４を構成して、システムマザーボード２０の信号伝送インタフェイスであるフリップトップ型コネクタ５０と電気的接続を構成できる。また別の一端は第二導電部４５を構成して、液晶ディスプレイインタフェイス１０の信号伝送インタフェイスである小振幅差動信号レシーバ１２と電気的接続を構成できる。
【００１６】
このようなフレキシブル・フラットケーブル４０は製造工程が簡単なため、製造コストが低いという有利性があるうえ、柔軟、難燃、耐冷熱の特性も具える。更に、この種のフレキシブル・フラットケーブル４０の特性インピーダンス（Ｚ０）は、フレキシブル・フラットケーブル４０の導電線材層４３の導体幅（ｗ）と導体厚さ（ｔ）に関係し、反比例の関係である。
フレキシブル・フラットケーブル４０の導電線材層４２の導体幅（ｗ）が増加する或いはフレキシブル・フラットケーブル４０の導電線材層の導体厚さ（ｔ）を増加すると、フレキシブル・フラットケーブル４０の特性インピーダンス（Ｚ０）はそれにつれて低下する。フレキシブル・フラットケーブル４０の導電線材層４２の導体幅（ｗ）が減少するか或いはフレキシブル・フラットケーブル４０の導電線材層４２の導体厚さ（ｔ）が減少すると、フレキシブル・フラットケーブル４０の特性インピーダンス（Ｚ０）は増加する。
【００１７】
このほか、この種のフレキシブル・フラットケーブル４０の特性インピーダンス（Ｚ０）はフレキシブル・フラットケーブル４０の上層ＰＥＴ絶縁層４１と下層ＰＥＴ絶縁層４３の絶縁層厚さ（ｈ）及び絶縁層誘電率（Ｅｒ）に関係する。特に、フレキシブル・フラットケーブル４０の特性インピーダンス（Ｚ０）はフレキシブルフラットケーブル４０の上層ＰＥＴ絶縁層４１及び下層ＰＥＴ絶縁層４３の絶縁層厚さ（ｈ）と反比例の関係にある。
フレキシブル・フラットケーブル４０の上層ＰＥＴ絶縁層或いは下層ＰＥＴ絶縁層４３の絶縁層厚さ（ｈ）が増加すると、フレキシブル・フラットケーブル４０の特性インピーダンス（Ｚ０）はそれにつれて低下し、フレキシブル・フラットケーブル４０の上層ＰＥＴ絶縁層或いは下層ＰＥＴ絶縁層４３の絶縁層厚さ（ｈ）が減少すると、フレキシブル・フラットケーブル４０の特性インピーダンス（Ｚ０）は増加する。
【００１８】
以上から、フレキシブル・フラットケーブル４０の導電線材層４２の導体幅（ｗ）或いは導体厚さ（ｔ）を調整するか、或いはフレキシブル・フラットケーブル４０の上層ＰＥＴ絶縁層４１或いは下層絶縁層４３の絶縁層厚さ（ｈ）を調整することによって、特性インピーダンス（Ｚ０）１００Ω±５％を具えたフレキシブル・フラットケーブル４０を製造することができ、本発明に示すＬＶＤＳ信号伝送システム１１に適用できる。
【００１９】
図１１から図１３に示すように、本発明が示すＬＶＤＳ信号伝送システム１１はフレキシブル・フラットケーブル４０を採用して信号伝送線として使用し、特性インピーダンス（Ｚ０）を特に１００Ω±５％に調整した以外、ほかは一般の公知のフレキシブル・フラットケーブル（ＦＣＣ）の構造と同じであるため、公知技術で一般のフレキシブル・フラットケーブル（ＦＣＣ）が使用でき、電気的接続を構成できるコネクタは、みな本発明に使用でき、システムマザーボードインタフェイス２０上に設置して、システムマザーボードインタフェイス２０の信号伝送インタフェイスを構成することができる。
【００２０】
システムマザーボードインタフェイス２０に設置するこういったコネクタは、基本的にフリップトップ型コネクタ５０であり、本体５１と可動カバー５２を具え、図１１から図１３に示すように、可動カバー５２を外に向かって引き出し上向きに翻すと、本体５１の端子を収容したソケット空間が露出し、本発明に示すフレキシブル・フラットケーブル４０の第一導電部４４を挿入できるようになる。このとき可動カバー５２を下向きに閉じて位置決めされるまで内向きに押しこむと、フレキシブル・フラットケーブル４０の第一導電部４４は本体５１のソケット内部に固定され、フリップトップ型コネクタ５０の端子と電気的接続を構成する。
フレキシブル・フラットケーブル４０を取り出すときは、反対に操作すると軽易にフレキシブル・フラットケーブル４０を取り出して、フレキシブル・フラットケーブル４０の第一導電部４４とフリップトップ型コネクタ５０を分離することができる。
【００２１】
本発明に示すフレキシブル・フラットケーブル４０の第一導電部４４は、リレーコネクタプラグやソケットを使用せずに、そのままフリップトップ型コネクタ５０と接続でき、フリップトップ型コネクタ５０と電気的接続を構成できる。そのためＬＶＤＳ信号伝送システム１１の構成部品数を減少する目的を達成でき、単価コストが低廉なフレキシブル・フラットケーブル４０をＬＶＤＳ信号伝送システム１１の信号伝送線として使用するため、コストを更に削減できる。
【００２２】
図６から図８に示すように、本発明に示すＬＶＤＳ信号伝送システム１１は、特性インピーダンス（Ｚ０）１００Ω±５％のフレキシブル・フラットケーブル４０の第二導電部４５が液晶ディスプレイインタフェイス１０の小振幅差動信号レシーバ１２と電気的接続を構成できるようにし、使用過程においてはフレキシブル・フラットケーブル４０の第二導電部４５と小振幅差動信号レシーバ１２との間の電気的接続部分が離脱することのないように、補助フレーム６０をフレキシブル・フラットケーブル４０の第二導電部４５の下面に粘着してこれを達成する。
【００２３】
この補助フレーム６０は下に向かってくぼんだくぼみ空間６１を具えてフレキシブル・フラットケーブル４０の第二導電部４５を含む小エリアを収容し、粘着手段を経て補助フレーム６０はフレキシブル・フラットケーブル４０の第二導電部４５を含む小エリアの下面に粘着固定されて、フレキシブル・フラットケーブル４０の第二導電部４５を含んだ端部の一部を構成するとともに、フレキシブル・フラットケーブル４０の第二導電部４５は補助フレーム６０の前端部６２と共にＬＶＤＳプラグに類似した形態と構造を構成する。
【００２４】
よって、図６と図１１に示すように、フレキシブル・フラットケーブル４０の第二導電部４５と補助フレーム６０の前端部６２を共に小振幅差動信号レシーバ１２のソケット内部に挿入すると、フレキシブル・フラットケーブル４０の第二導電部４５と小振幅差動信号レシーバ１２の端子は電気的接続を構成し、使用過程で離脱することがない。
フレキシブル・フラットケーブル４０を取り出すときは、逆向きに引き出す操作で、軽易にフレキシブル・フラットケーブル４０を取り出し、フレキシブル・フラットケーブル４０の第二導電部４５と小振幅差動信号レシーバ１２を分離する。
【００２５】
以上から、図４、図６及び図１１から図１３に示すように、本発明のＬＶＤＳ信号伝送システム１１は、液晶ディスプレイインタフェイス１０とシステムマザーボードインタフェイス２０の間の高周波信号伝送システムに使用し、且つ部品四点式ＬＶＤＳ信号伝送システム１１である。小振幅差動信号レシーバ１２を液晶ディスプレイインタフェイス１０上に設置し、フリップトップ型コネクタ５０をシステムマザーボードインタフェイス２０上に設置し、特性インピーダンス（Ｚ０）１００Ω±５％を具えたフレキシブル・フラットケーブル４０の第一導電部４４がフリップトップ型コネクタ５０と電気的接続を構成するようにし、そのフレキシブル・フラットケーブル４０の第二導電部４５と補助フレーム６０の前端部６２を共に小振幅差動信号レシーバ１２の内部に挿入して、フレキシブル・フラットケーブル４０の第二導電部４５と小振幅差動信号レシーバ１２が電気的接続を構成するようにして、本発明のＬＶＤＳ信号伝送システム１１を構成する。
【００２６】
図９と図１０に示すように、本発明のＬＶＤＳ信号伝送システム１１は、更にＥＭＩ防止機能を付加するため、補助フレーム６０を粘着してあるフレキシブル・フラットケーブル４０の一端に、ＥＭＩ防止金属カップリング材７０一セットをフレキシブル・フラットケーブル４０を収容している補助フレーム６０上にカップリング固定配置する。
そのＥＭＩ防止金属カップリング材７０は、上プレート７１と下プレート７２を具え、上プレート７１と下プレート７２をカップリングした構造設計により、上プレート７１と下プレート７２は一体にカップリングされるとともに、ＥＭＩ防止金属カップリング材７０をフレキシブル・フラットケーブル４０を収容した補助フレーム６０上にカップリング固定して配置することにより、フレキシブル・フラットケーブル４０の小振幅差動信号レシーバ１２に接合する一端にＥＭＩ防止機能を具える。
【００２７】
よって本発明のもう一つの具体的実施例は、部品五点式ＬＶＤＳ信号伝送システム１１を提供し、小振幅差動信号レシーバ１２、特性インピーダンス（Ｚ０）１００Ω±５％を具えたフレキシブル・フラットケーブル４０、補助フレーム６０、ＥＭＩ防止金属カップリング材７０及びフリップトップ型コネクタ５０により組成して、本発明のＬＶＤＳ信号伝送システム１１にＥＭＩ防止機能を付加することができる。
【００２８】
以下、実施例１〜１１により本発明の特性インピーダンス（Ｚ０）１００Ω±５％を具えたフレキシブル・フラットケーブル４０を取得する条件を説明する。
図５に示すように、本発明はフレキシブル・フラットケーブル４０の導電線材層４２の導体幅（ｗ）或いは導体厚さ（ｔ）の調整、或いはフレキシブル・フラットケーブル４０の上層ＰＥＴ絶縁層４１或いは下層ＰＥＴ絶縁層４３の絶縁層厚さ（ｈ）の調整によるが、導電線材層（４２）の導体のピッチ（ｐ）は固定して、１１本の異なるフレキシブル・フラットケーブル４０を製造し、時間領域反射測定器（Ｔｉｍｅ  Ｄｏｍａｉｎ  Ｒｅｆｌｅｃｔｏｍｅｔｒｙ；ＴＤＲ）で各フレキシブル・フラットケーブル４０の特性インピーダンス（Ｚ０）或いは別称差動インピーダンス（Ｚ０）を測定する。各フレキシブル・フラットケーブル４０の導体幅（ｗ）、導体厚さ（ｔ）、及び絶縁層厚さ（ｈ）の設定条件及び測定して得られた特性インピーダンス（Ｚ０）の結果を表１に示す。
【表１】
2006032003.tif 000003
【００２９】
表１の結果に基づくと、実施例１〜７及び実施例９に対応するフレキシブル・フラットケーブル４０は、測定して得られた特性インピーダンス（Ｚ０）が１００Ω±５％の範囲内にないため、本発明に示すＬＶＤＳ信号伝送システム１１内への使用には適さない。
実施例８と実施例１０〜１１に対応するフレキシブル・フラットケーブル４０は、得られた特性インピーダンス（Ｚ０）が皆１００Ω±５％の範囲内であるため、本発明のＬＶＤＳ信号伝送システム１１内への使用に適している。
更に、表１に示す結果によると、フレキシブルフラットケーブル４０の導体幅（ｗ）、導体厚さ（ｔ）及び絶縁層厚さ（ｈ）と絶縁層誘電率（Ｅｒ）がそれぞれ以下の二組の条件［数１］〜［数８］を満たすとき、１００Ω±５％の特性インピーダンス（Ｚ０）を具えるフレキシブル・フラットケーブル４０を製造することができ、小振幅差動信号レシーバ１２、補助フレーム６０、フリップトップ型コネクタ５０と共に部品四点式ＬＶＤＳ信号伝送システム１１を組成できるようになり、ＬＶＤＳ信号伝送システムの部品数減少とコスト削減の目的を達成することができる。同時に、フレキシブル・フラットケーブル４０はＬＶＤＳ信号伝送線として使用することができないという偏見も突破した。
（１）   ［数１］Ｅｒ＝３．２  ；  ［数２］ｈ＝６５μｍ  ；
［数３］ｔ＝０．０５ｍｍ  ；  ［数４］ｗ＝０．８〜０．８３ｍｍ
（２）   ［数５］Ｅｒ＝３．２  ；  ［数６］ｈ＝５０〜６５μｍ  ；
［数７］ｔ＝０．０５ｍｍ  ；  ［数８］ｗ＝０．８ｍｍ
【図面の簡単な説明】
【００３０】
【図１】液晶ディスプレイＬＣＤインタフェイス１０とシステムマザーボードインタフェイス２０との間に構築した公知ＬＶＤＳ信号伝送システム１１の略図である。
【図２】図１に示す公知ＬＶＤＳ信号伝送システム１１の部品分解図である。公知ＬＶＤＳ信号システム１１は部品五点式ＬＶＤＳ信号伝送システム１１であり、小振幅差動信号レシーバ１２、ＬＶＤＳプラグ１４、１００Ω特性インピーダンスの信号伝送線１５、コネクタプラグ２４、コネクタソケット２２で組成することを示す。
【図３】台湾特許公告第５３３６２９号に示す「全体に伝送線を具えた可撓性コネクタ」の略図である。可撓性コネクタ３３の両端にリレーコネクタプラグ或いはソケットを使用する必要はないが、表示の絶縁体３５を使用して初めて、第一プリント基板３１のコネクタプラグ３６、第二プリント基板３１のコネクタプラグ３７と共にしようすることができ、部品五点式の信号伝送システムであることを示す。
【図４】本発明の１００Ω特性インピーダンスを具えたフレキシブル・フラットケーブル４０をＬＶＤＳ信号伝送線として使用する略図である。ＬＶＤＳ小振幅差動信号レシーバ１２、補助フレーム６０及びフリップトップ型コネクタ５０と共に部品四点式のＬＶＤＳ信号伝送システム１１を組成する。
【図５】図４の５−５に沿った断面構造図であり、本発明に使用するフレキシブル・フラットケーブル４０の断面構造を示す。
【図６】本発明のＬＶＤＳ信号伝送システム１１の構成部品分解図である。
【図７】本発明の補助フレーム６０の構造と、くぼみ空間６１でフレキシブル・フラットケーブル４０の第二導電部４５を含む小エリアを収容する略図である。
【図８】本発明の補助フレーム６０の前端部６２をフレキシブル・フラットケーブル４０の第二導電部４５を含む小エリアの下面に粘着固定して、フレキシブル・フラットケーブル４０と共にＬＶＤＳプラグに類似した構造を構成する略図である。
【図９】本発明のＥＭＩ防止金属カップリング材７０の分解図と、上プレート７１及び下プレート７２を相互にカップリングして、フレキシブル・フラットケーブル４０の補助フレーム６０上に固定設置する略図である。
【図１０】本発明のＥＭＩ防止金属カップリング材７０を、フレキシブル・フラットケーブル４０の補助フレーム６０上に固定配置して、フレキシブル・フラットケーブル４０の小振幅差動信号レシーバ１２に接続する一端にＥＭＩ防止機能を具える略図である。
【図１１】本発明のＬＶＤＳ信号伝送システム１１のフレキシブル・フラットケーブル４０の第二導電部４５と補助フレーム６０の前端部６２を共に小振幅差動信号レシーバ１２の内部に挿入して、フレキシブル・フラットケーブル４０の第二導電部と小振幅差動信号レシーバ１２が電気的接続を構成するようにする略図である。
【図１２】本発明のＬＶＤＳ信号伝送システム１１のフリップトップ型コネクタ５０の可動カバー５２を上向きに回転して開き、フレキシブル・フラットケーブル４０の第一導電部４４を挿入して電気的接続を構成できるようにした略図である。
【図１３】本発明のＬＶＤＳ信号伝送システム１１のフレキシブル・フラットケーブル４０の第一導電部４４が図１２の挿入動作を完了し、フリップトップ型コネクタ５０の可動カバー５２を閉じてフレキシブル・フラットケーブル４０の第一導電部４４をフリップトップ型コネクタ内部に固定した略図である。
【符号の説明】
【００３１】
１０ 液晶ディスプレイインタフェイス或いはＬＣＤインタフェイス
１１ ＬＶＤＳ信号伝送システム
１２ 小振幅差動信号レシーバ
１４ ＬＶＤＳプラグ
１５ ＬＶＤＳ信号伝送線
２０ システムマザーボードインタフェイス
２２ コネクタソケット
２４ コネクタプラグ
３１ 第一プリント基板
３２ 第二プリント基板
３３ 可撓性コネクタ
３５ 絶縁体
３６、３７ コネクタソケット
４０ フレキシブル・フラットケーブル
４１ 上層ＰＥＴ絶縁層
４２ 導電線材層
４３ 下層ＰＥＴ絶縁層
４４ 第一導電部
４５ 第二導電部
５０ フリップトップ型コネクタ
５１ 本体
５２ 可動カバー
６０ 補助フレーム
６１ くぼみ空間
６２ 前端部
７０ ＥＭＩ防止金属カップリング材
７１ 上プレート
７２ 下プレート
（ｗ） 導体幅
（ｔ） 導体厚さ
（ｈ） 絶縁層厚さ
（ｐ） ピッチ
（Ｅｒ）絶縁層誘電率
【図１】
2006032003.tif 000004
【図２】
2006032003.tif 000005
【図３】
2006032003.tif 000006
【図４】
2006032003.tif 000007
【図５】
2006032003.tif 000008
【図６】
2006032003.tif 000009
【図７】
2006032003.tif 000010
【図８】
2006032003.tif 000011
【図９】
2006032003.tif 000012
【図１０】
2006032003.tif 000013
【図１１】
2006032003.tif 000014
【図１２】
2006032003.tif 000015
【図１３】
2006032003.tif 000016